(57)【要約】【課題】  印刷動作を一時停止させた際の印刷物のセキュリティを図ることができる画像処理装置を提供する。【解決手段】  操作部３０の入力により、印刷手段２２の動作を一時停止させる機能と、印刷手段２２の動作を中断する機能と、一時停止状態となった印刷動作を再開させる機能とを有し、一時停止状態となった印刷動作を、操作部３０からのパスワード入力により、中断もしくは再開させる制御を行う制御手段２０を備えた画像処理装置。【選択図】        図１
2007050628.tif 000002
【特許請求の範囲】
【請求項１】
入力される画像データを印刷する印刷手段と、
該印刷手段の印刷動作を一時停止させる一時停止機能と、前記印刷手段の印刷動作を中断させる中断機能と、一時停止状態となった印刷動作を再開させる再開機能と、一時停止状態となった印刷動作を操作部からのパスワード入力により中断もしくは再開させる機能と、を有する制御手段と、
を備えたことを特徴とする画像処理装置。
【請求項２】
請求項１に記載の画像処理装置において、前記パスワードとして、登録されたパスワードと、機器固有のパスワードを用いることを特徴とする画像処理装置。
【請求項３】
請求項１に記載の画像処理装置において、制御手段は、印刷動作が一時停止しており、かつパスワード登録されている場合に、前記操作部からの入力による印刷動作の停止状態が予め設定した設定時間経過した場合は、前記パスワード入力をすることなく、印刷動作を中断もしくは再開させることを特徴とする画像処理装置。
【請求項４】
入力される画像データを印刷する印刷手段の動作を一時停止させる一時停止ステップと、前記印刷手段の動作を中断する中断ステップと、一時停止状態となった印刷動作を再開させる再開ステップと、一時停止状態となった印刷動作を操作部からのパスワード入力により中断もしくは再開させるステップと、を有することを特徴とする画像処理装置の制御方法。
【請求項５】
請求項４に記載の画像処理装置の制御方法において、前記印刷動作が一時停止しており、かつパスワード登録されている場合に、操作部からの入力による印刷動作の停止状態が、予め設定した設定時間を経過した場合は、前記パスワード入力をすることなく、印刷動作を中断もしくは再開させることを特徴とする画像処理装置の制御方法。
【請求項６】
請求項４記載の画像処理装置の制御方法を実行するためのコンピュータ読み取り可能なプログラム。
【請求項７】
請求項６記載のプログラムが記録された記録媒体。
【発明の詳細な説明】
【技術分野】
【０００１】
本発明は、蓄積機能を有する画像処理装置及びその制御方法に関する。
【背景技術】
【０００２】
画像処理装置（画像形成装置）の操作部には、種種の操作キーが配列されている。例えば、クリアストップキーもその一つである。複数枚の印刷ジョブ実行中にこのクリアストップキーを押すと、印刷動作が一時停止する。印刷出力中に装置からユーザーが一時的に離れる場合にこのような操作が行われる。
これに関連して、特許文献１には、原稿の読取中または画像データの印刷中に、第三者の操作によってジョブが中止される場合に、中止される旨をユーザーの所持する携帯端末に通知し、携帯端末からはそのジョブの中止の可否を画像形成装置に対して指示する技術が示されている。
【特許文献１】特開２００２−１５２４５８公報
【発明の開示】
【発明が解決しようとする課題】
【０００３】
上述したように、画像処理装置にて印刷出力中に装置から操作者が一時的に離れる際に、クリアストップキーを押して、印刷動作を一時停止させているが、印刷出力を他ユーザーに見られることがないようにしなければならない。
本発明は、印刷動作を一時停止させた際の印刷物のセキュリティを図ることができる画像処理装置を提供することを目的とする。
【課題を解決するための手段】
【０００４】
上記目的を達成するために、請求項１記載の発明は、入力される画像データを印刷する印刷手段と、該印刷手段の印刷動作を一時停止させる一時停止機能と、前記印刷手段の印刷動作を中断させる中断機能と、一時停止状態となった印刷動作を再開させる再開機能と、一時停止状態となった印刷動作を操作部からのパスワード入力により中断もしくは再開させる機能と、を有する制御手段と、を備えた画像処理装置を特徴とする。
請求項２記載の発明は、請求項１に記載の画像処理装置において、前記パスワードとして、登録されたパスワードと、機器固有のパスワードを用いることを特徴とする。
請求項３記載の発明は、請求項１に記載の画像処理装置において、制御手段は、印刷動作が一時停止しており、かつパスワード登録されている場合に、前記操作部からの入力による印刷動作の停止状態が予め設定した設定時間経過した場合は、前記パスワード入力をすることなく、印刷動作を中断もしくは再開させることを特徴とする。
請求項４記載の発明は、入力される画像データを印刷する印刷手段の動作を一時停止させる一時停止ステップと、前記印刷手段の動作を中断する中断ステップと、一時停止状態となった印刷動作を再開させる再開ステップと、一時停止状態となった印刷動作を操作部からのパスワード入力により中断もしくは再開させるステップと、を有することを特徴とする画像処理装置の制御方法を特徴とする。
請求項５記載の発明は、請求項４に記載の画像処理装置の制御方法において、前記印刷動作が一時停止しており、かつパスワード登録されている場合に、操作部からの入力による印刷動作の停止状態が、予め設定した設定時間を経過した場合は、前記パスワード入力をすることなく、印刷動作を中断もしくは再開させることを特徴とする。
請求項６記載の発明は、請求項４記載の画像処理装置の制御方法を実行するためのコンピュータ読み取り可能なプログラムであることを特徴とする。
請求項７記載の発明は、請求項６記載のプログラムが記録された記録媒体であることを特徴とする。
【発明の効果】
【０００５】
本発明では、操作部からのパスワード入力がない限り、一時停止状態となった印刷動作を再開させることができないので、印刷出力中に装置から操作者が一時的に離れる際に、印刷出力を他ユーザーに見られることがないようにすることができる。
また、印刷出力が一時停止した状態で操作者が長時間、装置から離れるようなことがあった場合に、装置の管理者のみその印刷出力を中断させることが可能になるため、装置に故障等トラブルが発生した場合に、操作者が不在であっても管理者により対処可能となる。
また、印刷出力が一時停止した状態で操作者が長時間、装置から離れるようなことがあっても、その装置を占有し続けないようにすることが可能になる。
【発明を実施するための最良の形態】
【０００６】
以下、本発明の実施形態を図面に従って説明する。
図１は本発明の実施形態に係る画像処理装置（画像形成装置）の機能ブロック図、図２は同、メカ構成図である。また図３は図１に示す画像記憶手段の機能ブロック図、図４は図１に示す操作部のレイアウト図である。
図１に示す画像処理装置は、主に読み取り手段２１、入力された画像データを印刷する印刷手段２２、画像記憶手段２３、操作表示制御手段２４、これら手段を制御する制御手段２０で構成される。操作表示制御手段２４、液晶ディスプレイ３１、キー群３２〜３５で操作部３０を構成する。
読み取り手段２１は、図２に示す自動原稿送り装置（ＡＤＦ）１、原稿台２、読み取りユニット４で構成されており、操作部３０上（図４）のプリントキー３４が押下されると、メインコントローラ２０より読み取り命令を受けた読み取り手段２１は、ＡＤＦ１に戴置された原稿をＡＤＦ１より読み取りユニット４のコンタクトガラス３上に給送し、読み取りユニット４内のＣＣＤイメージセンサ５等により、画像情報を読み取って電気信号に変換し、読み取りが終了した原稿をＡＤＦ１上に排出する。さらに原稿がＡＤＦ１上に存在している場合は、前原稿と同様にコンタクトガラス３上に給送され読み取られる。
メインコントローラ２０は、読み取り手段２１に対して、上記読み取り手段２１にて読み取られた原稿画像データを電気信号として画像記憶手段２３に送出するよう指示する。
図３に示すように、画像記憶手段２３は、読み取り手段２１から受信した電気信号をデジタル信号に変換するＡ／Ｄコンバータ６１、デジタル信号に対する画像処理（シェーディング補正、ＭＴＦ補正、γ補正等）を行う画像処理回路６２、画像データを指定された倍率に拡大／縮小する変倍回路６３、１ページ分の画像データを記憶する画像メモリ６４、画像データを長期に渡り保持するためのＨＤ６５、画像メモリ６４へのデータの書き込み読み出し、ＨＤ６５への書き込み、読み出し、印刷手段２２への画像データの送出、メインコントローラ２０へのデータの送出を制御するメモリコントローラ６６、入力された画像の流れやＨＤ６５もしくは画像メモリ６４上データの送出先をメモリコントローラ６６に指示するＣＰＵ６７、プログラムやデータを格納するＲＯＭ６８、ＲＡＭ６９、ＮＶ−ＲＡＭ７０、外部の例えばパーソナルコンピュータ等のデータ処理装置から入力したデータを受信するＩ／Ｏポート７１から構成される。
【０００７】
次に図２に戻り印刷手段２２を説明する。
印刷手段２２は、第１トレイ６、第２トレイ７、第３トレイ８、第１給紙ユニット装置９、第２給紙ユニット１０、第３給紙ユニット１１、縦搬送ユニット１２、書き込みユニット１３、現像ユニット１４、感光体１５、搬送ベルト１６、定着ユニット１７、排紙ユニット１８、フィニッシャ１００により構成されている。
読み取り手段２１にて読み取られた原稿画像データは、画像記憶手段２３、メインコントローラ２０を経由して、印刷手段２２に送出され、印刷手段２２の書き込みユニット１３からのレーザー光によって感光体１５に書き込まれ、現像ユニット１４を通過することによって感光体１５上にトナー像が形成される。
第１トレイ６、もしくは、第２トレイ７、第３トレイ８のいずれか一つから給紙された転写紙は、縦搬送ユニット１２を経由し、感光体１５の回転と等速で搬送ベルト１６によって搬送されながら、感光体１５上のトナー像を転写される。その後、転写紙は、定着ユニット１７を通過することにより、トナー像を紙面に定着させ、排紙ユニット１８によって後処理装置のフィニシャ１００に排出される。
【０００８】
次に図４を用いて操作部３０を説明する。操作部３０は、操作表示制御手段２４の他、液晶ディスプレイ３１、テンキー３２、クリアストップキー３３、プリントキー３４、リセットキー３５、初期設定キー３６で構成されており、これらキー押下が発生すると、操作表示制御手段２４からメインコントローラ２０へキー押下が発生した旨が通知される。
ここで、テンキー３２はコピーの部数の入力に用いられる。ストップキー３３はコピー動作を中断するのに用いる。プリントキー３４はコピー動作の実行開始を行うのに用いる。初期設定キー３６は機器の初期状態を設定する画面に移ることができる。本実施形態においては、初期設定キー３６押下後に図示しない「管理者パスワード」を４桁の数字として一つだけ、ＮＶ−ＲＡＭ７０に記憶することが可能になっている。
図５〜図８は図４に示す液晶ディスプレイの表示画面例を示す図、図９〜図１１は本発明の画像処理装置の動作を示すフローチャートである。
まず図５〜図７に示す表示画面例、及び図９、図１０に示すフローチャートを用いてパスワード登録操作の流れを説明する。
印刷中にクリアストップキー３３を押下すると、印刷中の動作を一時停止し、図５に示すようなジョブ停止中の画面が表示される（Ｓ１）。ここで、「継続」キー８０を押下すると（Ｓ２でＹ）、印刷中のジョブが再開され（Ｓ３）、「中止」キーを８１押下すると（Ｓ４でＹ）、印刷中の動作が中断される（Ｓ５）。
「パスワードロック」キー８２を押下すると（Ｓ６でＹ）、図６に示すようなパスワード入力画面が表示される（Ｓ７）。
ここで、「取消」キー９１を押下すると（Ｓ１１でＹ）、パスワード入力画面が閉じて、図５に示すジョブ停止画面に戻るが（Ｓ１２）、操作部３０のテンキー３２を押下することによりパスワードになる数字列を入力することができる（Ｓ１３でＹ）。
この数字列はメインコントローラ２０内の図示しないＲＡＭ領域に記憶する（Ｓ１４）。メインコントローラ２０は必要に応じてこのパスワードを参照したり、クリアしたりすることが可能である。パスワード数字入力中は表示領域９０（図６）に表示されるようになっている。
パスワード数字の桁数は、本実施形態においては４桁固定にしているが、メインコントローラ２０内のＲＡＭサイズによっては桁数を増やしてもよい。パスワード入力後、「登録」キー９２が押下されると（Ｓ１５でＹ）、入力するパスワードが確定され、パスワード入力画面が閉じて、図７に示すようなパスワードロック画面を表示する（Ｓ１６）。
【０００９】
次に図５〜図７に示す表示画面例、及び図１１に示すフローチャートを用いてパスワードが登録されたジョブを中断、再開する操作について述べる。
図７に示すパスワードロック画面が表示されている状態で、操作部３０のテンキー３２を押下することによりパスワードの入力ができる（Ｓ２１でＹ）。
ここで、入力された数字は、図７に示す表示領域１００に“＊”として表示される。これは他のユーザーにパスワードを覗き見されないようにするためである。
入力された数字列は入力されたパスワードとしてメインコントローラ２０の図示しないＲＡＭに記憶される（Ｓ２２）。ここで「取消」キー１０１を押下すると（Ｓ２３でＹ）、メインコントローラ２０のＲＡＭに記憶された入力途中のパスワード数字列がクリアされ（Ｓ２４）、図７に示すパスワードロック画面の表示領域１００の“＊”表示もクリアされる。
テンキー３２でパスワードを入力後、図７に示す「実行」キー１０２を押下すると（Ｓ２５でＹ）、予め登録されていたパスワードと入力されたパスワードが一致するかどうかチェックされる（Ｓ２６）。入力されたパスワードが登録済みパスワードである場合は（Ｓ２７でＹ）、図５に示すジョブ停止画面が表示され（Ｓ２８）、以降、ジョブの継続、中断操作が可能になる。
ここでパスワードロック画面にて入力されたパスワードが管理者パスワードである場合は（Ｓ２７でＹ）、登録済みパスワードと一致しなくても、図５に示すジョブ停止画面を表示することが可能になる（Ｓ２８）。
また、入力されたパスワードが管理者パスワードでもなく、登録済みパスワードでもない場合は（Ｓ２７でＮ）、図８に示すようなパスワード入力の誤りを示す画面が表示される（Ｓ２９）。この画面で「確認」キー１１０を押下することにより（Ｓ３０でＹ）、図７に示すパスワードロック画面に戻ることができる（Ｓ３１）。
また、操作部３０の初期設定キー３６押下により、図７に示すパスワードロック画面の表示時間を設定することが可能であり、この設定時間はＮＶ−ＲＡＭ７０に記憶される。パスワードロック画面が表示された時から、この設定時間が経過すると、パスワードロック画面が閉じ、図５に示すジョブ停止画面が表示され、ジョブの継続、中止操作が可能になる。
【００１０】
なお、本発明は、上述した実施形態の各機能をプログラム化し、予めＲＯＭのような記録媒体に書き込んでおき、その記録媒体を装着してプログラムを実行することによって、本発明の目的が達成されることは言うまでもない。この場合、記録媒体から読み出されて実行された状態が上述した実施形態の機能を実現することになり、そのプログラムおよびそのプログラムを記録した記録媒体も本発明を構成することになる。
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。あるいは、ネットワーク等の通信網を介して記憶装置に格納されたプログラムをサーバコンピュータから直接供給を受けるようにしてもよい。この場合、このサーバコンピュータの記憶装置も本発明の記録媒体に含まれる。
【図面の簡単な説明】
【００１１】
【図１】本発明の実施形態に係る画像処理装置（画像形成装置）の機能ブロック図。
【図２】本発明の実施形態に係る画像処理装置（画像形成装置）のメカ構成図。
【図３】図１に示す画像記憶手段の機能ブロック図。
【図４】図１に示す操作部のレイアウト図。
【図５】図４に示す液晶ディスプレイの表示画面例を示す図（その１）。
【図６】図４に示す液晶ディスプレイの表示画面例を示す図（その２）。
【図７】図４に示す液晶ディスプレイの表示画面例を示す図（その３）。
【図８】図４に示す液晶ディスプレイの表示画面例を示す図（その４）。
【図９】本発明の画像処理装置の動作を示すフローチャート（その１）。
【図１０】本発明の画像処理装置の動作を示すフローチャート（その２）。
【図１１】本発明の画像処理装置の動作を示すフローチャート（その３）。
【符号の説明】
【００１２】
２０  メインコントローラ、２２  印刷手段、３０  操作部
【図１】
2007050628.tif 000003
【図２】
2007050628.tif 000004
【図３】
2007050628.tif 000005
【図４】
2007050628.tif 000006
【図５】
2007050628.tif 000007
【図６】
2007050628.tif 000008
【図７】
2007050628.tif 000009
【図８】
2007050628.tif 000010
【図９】
2007050628.tif 000011
【図１０】
2007050628.tif 000012
【図１１】
2007050628.tif 000013